(57)【要約】【課題】着用者のお腹周りの部分の膨らみを目立たなくすることができるパンツ型着用物品を提供する。【解決手段】ウエスト開口部及び一対のレッグ開口部、並びに、着用者の腹側及び背側それぞれに向けて配される前側部及び後側部を備え、身丈方向及び該身丈方向と直交する幅方向を有するパンツ型着用物品であって、前記パンツ型着用物品には、有色の帯状図形を複数、間隔をあけて配された縞状模様の図柄が外側から視認可能に配されており、前記図柄では、前記パンツ型着用物品を前記幅方向に最大に伸長させた状態で、前記縞状模様における前記帯状図形による着色の密度が部分的に変化しているパンツ型着用物品。【選択図】図１
2020103717.tif 000002
【特許請求の範囲】
【請求項１】
ウエスト開口部及び一対のレッグ開口部、並びに、着用者の腹側及び背側それぞれに向けて配される前側部及び後側部を備え、身丈方向及び該身丈方向と直交する幅方向を有するパンツ型着用物品であって、
前記パンツ型着用物品には、有色の帯状図形を複数、間隔をあけて配された縞状模様の図柄が外側から視認可能に配されており、
前記図柄では、前記パンツ型着用物品を前記幅方向に最大に伸長させた状態で、前記縞状模様における前記帯状図形による着色の密度が部分的に変化しているパンツ型着用物品。
【請求項２】
隣りあう前記帯状図形の間隔は、前記パンツ型着用物品を前記幅方向に最大に伸長させた状態で、前記ウエスト開口部よりも身丈方向の下方側の方が狭くされている請求項１記載のパンツ型着用物品。
【請求項３】
前記帯状図形の帯幅は、前記パンツ型着用物品を前記幅方向に最大に伸長させた状態で、前記ウエスト開口部よりも身丈方向の下方側の方が広くされている請求項１又は２記載のパンツ型着用物品。
【請求項４】
前記帯状図形がそれぞれ前記身丈方向に沿って配されており、前記パンツ型着用物品を前記幅方向に最大に伸長させた状態で、各帯状図形が前記身丈方向の途中で前記幅方向の中央側へ凸状に湾曲する形状を有し、前記凸状の部分が前記幅方向の左右外方から前記幅方向の中央側に向けて集まる配置を有する請求項１記載のパンツ型着用物品。
【請求項５】
前記帯状図形がそれぞれ前記幅方向に沿って配されており、前記パンツ型着用物品を前記幅方向に最大に伸長させた状態で、各帯状図形が前記幅方向の途中で前記ウエスト開口部側から身丈方向の下方側へ凸状に湾曲する形状を有し、前記身丈方向の下方側に行くほど湾曲の程度が小さくされており、前記凸状の部分が前記身丈方向の下方側に集まる配置を有する請求項１記載のパンツ型着用物品。
【請求項６】
前記図形が前記パンツ型着用物品の前側に配置されている請求項１〜５のいずれか１項に記載のパンツ型着用物品。
【発明の詳細な説明】
【技術分野】
【０００１】
本発明は、使い捨ておむつ等のパンツ型着用物品に関する。
【背景技術】
【０００２】
従来、使い捨ておむつ等の吸収性物品に図柄等を付すことがされてきた。
例えば、特許文献１には、着用者の身体に対する位置合わせや吸収性パッドの位置合わせをする図柄を付したおむつが記載されている。具体的には、おむつの外包体に淡色部と濃色部と交互に配した模様において、淡色部よりも濃色部の方が吸収性本体の縦方向に沿う長さを長くしている。
特許文献２記載の着用物品では、外部から視認可能な第１表示要素と第２表示要素とを配することが記載されている。第１表示要素はウエスト開口部側の第１弾性域に配され、第２表示要素はクロッチ側の非弾性域に配置されている。第１表示要素では、形態くずれを防止する観点から、横方向の寸法を収縮状態において伸長状態よりも小さくし、第２表示要素との形態を同一になるようにしている。
特許文献３には、吸収性物品の伸縮領域において自然状態でデザインの印刷素材に皺や襞が形成されないよう、弾性フィルムにデザイン印刷部を設けて伸縮領域とすることが記載されている。
【先行技術文献】
【特許文献】
【０００３】
【特許文献１】特開２０１６−５９６５０号公報
【特許文献２】特開２０１７−３５４１２号公報
【特許文献３】特開２０１７−２０２４１７号公報
【発明の概要】
【発明が解決しようとする課題】
【０００４】
パンツ型着用物品は、着用者が穿いた際に嵩張った外観になりやすい。特に、パンツ型着用物品が吸収体を含む場合、お腹周りの膨らみが強調されやすい。高齢者は、加齢によりお腹回りが大きくなりやすく、着用による膨らみを余計に気にされることがある。そのため、装着中に他人に見られても、お腹周りの膨らみが目立たないパンツ型着用物品が要望されている。
【０００５】
本発明は、上記の点に鑑み、着用者のお腹周りの部分の膨らみを目立たなくすることができるパンツ型着用物品に関する。
【課題を解決するための手段】
【０００６】
本発明は、ウエスト開口部及び一対のレッグ開口部、並びに、着用者の腹側及び背側それぞれに向けて配される前側部及び後側部を備え、身丈方向及び該身丈方向と直交する幅方向を有するパンツ型着用物品であって、前記パンツ型着用物品には、有色の帯状図形を複数、間隔をあけて配された縞状模様の図柄が外側から視認可能に配されており、前記図柄では、前記パンツ型着用物品を前記幅方向に最大に伸長させた状態で、前記縞状模様における前記帯状図形による着色の密度が部分的に変化しているパンツ型着用物品を提供する。
【発明の効果】
【０００７】
本発明のパンツ型着用物品は、着用者のお腹周りの部分の膨らみを目立たなくすることができる。
【図面の簡単な説明】
【０００８】
【図１】本発明のパンツ型着用物品の好ましい一実施形態としてのパンツ型おむつについて、図柄の好ましい一実施態様（第１実施態様）とともに、幅方向に最大に伸長させた状態の形状として前側から模式的に示した平面図である。
【図２】図１に示すパンツ型おむつをサイドシール部で破断して展開し最大に伸長させた状態について、非肌当接面側から模式的に示した平面図である。
【図３】図柄の別の好ましい実施態様（第２実施態様）を模式的に示すパンツ型おむつの平面図である。
【図４】図柄の更に別の好ましい実施態様（第３実施態様）を模式的に示すパンツ型おむつの平面図である。
【図５】図柄の更に別の好ましい実施態様（第４実施態様）を模式的に示すパンツ型おむつの平面図である。
【図６】図柄の更に別の好ましい実施態様（第５実施態様）を模式的に示すパンツ型おむつの平面図である。
【図７】図柄の更に別の好ましい実施態様（第６実施態様）を模式的に示すパンツ型おむつの平面図である。
【発明を実施するための形態】
【０００９】
以下、本発明のパンツ型着用物品の好ましい実施形態としてのパンツ型おむつについて、図面を参照しながら以下に説明する。
【００１０】
本発明においては、人体に接触する側を肌面側ないし肌当接面側あるいは表面側といい、これと反対側を非肌面側ないし非肌当接面側あるいは裏面側という。これらは、人体に接触する面を有さない部材に関しても、パンツ型着用物品の部材構成における相対的な位置関係を示す用語として用いる。また、着用時に人体の前側に位置する方向を前方といい、後側に位置する方向を後方という。
【００１１】
図１に示すように、本実施形態のパンツ型おむつ１０（以下、おむつ１０ともいう。）は、ウエスト開口部１１と一対のレッグ開口部１２、１２を有する。また、おむつ１０は、着用者の腹側に向けて配される前側部１３と、着用者の背側に向けて配される後側部１４とを有する。前側部１３と後側部１４とは、レッグ開口部１２の上方において、着用者の脇腹の位置に配されるサイドシール部１５、１５で接合されている。この状態で、おむつ１０のウエスト開口部１１側に環状の端縁１１Ａが形成されている。図１では、おむつ１０の前側部１３について、ウエスト開口部１１を上に向けて平面視した状態を示している。また、図１は、おむつ１０を着用した状態で前側部１３からみた図であり、左右のサイドシール部１５、１５を結ぶ方向（後述する幅方向）に最大に伸長させた状態を示している。ここで言う「幅方向に最大に伸長させた状態」とは、おむつ１０の幅方向に収縮する力に最大限抗して伸長させた状態をいう。本実施形態においては、おむつ１０の幅方向の収縮力は、後述のウエスト弾性部材によって付与されており、該ウエスト弾性部材の影響が全く無い状態まで幅方向に伸長させた状態をいう。また、おむつ１０の幅方向の収縮力が前記ウエスト弾性部材以外の伸縮部材、例えば伸縮性不織布によって付与されている場合、該伸縮性不織布の影響が全く無い状態まで幅方向に伸長させた状態を「幅方向に最大に伸長させた状態」という。
【００１２】
おむつ１０は、前側部１３から見た状態で、着用者の身丈方向Ｙと身丈方向Ｙに直交する幅方向Ｘを有する。幅方向Ｘは、左右のサイドシール部１５、１５の間を結ぶ方向である。この身丈方向Ｙ及び幅方向Ｘは、前側部１３から見た場合に限らず、後側部１４から見た場合についても適用される。なお、おむつ１０の相対的な位置関係として、ウエスト開口部１１側を上方側といい、レッグ開口部１２側（又は後述の股下部１０Ｃ側）を下方側という。
【００１３】
おむつ１０は、身丈方向Ｙに沿って、着用者の胴周りに対して配される胴周り部１０Ｄと着用者の股下に対して配される股下部１０Ｃとに区分される。この区分は、前側部１３及び背側部１４それぞれについても当てはまる。前側部１３における胴周り部１０Ｄは着用者の腹部に配され、後側部１４における胴周り部１０Ｄは着用者の背中及び腰部に配される。
【００１４】
図２は、おむつ１０をサイドシール部１５、１５において破断して展開した状態を非肌当接面側から示している。ここでいう展開した状態とは、各部を最大に伸長させておむつを平面状に広げた状態をいう。おむつ１０は、展開した状態において、腹側部１０Ｆ、股下部１０Ｃ及び背側部１０Ｒに区分される。この状態において、前述の身丈方向Ｙは、腹側部１０Ｆ、股下部１０Ｃ及び背側部１０Ｒが繋がる方向である。幅方向Ｘは身丈方向Ｙに直交する方向である。なお、図２においては、後述の図柄は省略しておむつ１０の展開状態における外形を示している。
【００１５】
おむつ１０は、構成部材として、排泄液を吸収保持する縦長の吸収性本体１と、吸収性本体１を固定する外装体２とを有する。本実施形態において、外装体２は、腹側部１０Ｆ、股下部１０Ｃ及び背側部１０Ｒ全体に亘る大きさを有し、股下部１０Ｃにおいて幅方向内方に括れた形状を有する。括れた部分が前述のレッグ開口部１２、１２となる。外装体２の腹側部１０Ｆ及び背側部１０Ｒの身丈方向Ｙ外方の端縁においてウエスト開口部１１が形成される。吸収性本体１は、外装体２の肌当接面側の幅方向Ｘの中央において、その長手方向をおむつ１０の腹側部１０Ｆ、股下部１０Ｃ及び背側部１０Ｒに向けて配されている。
【００１６】
外装体２には、おむつ１０のウエスト開口部１１となる部分Ｇ１に幅方向Ｘに延びるウエスト弾性部材（図示せず）を複数、伸長させた状態で固定し配置している。これにより、ウエスト開口部１１にウエストギャザーが形成される。加えて、おむつ１０の胴まわり部となる部分Ｇ２に幅方向Ｘに延びるウエスト弾性部材（図示せず）を複数、伸長させた状態で固定し配置している。これにより、胴周り部Ｇ２に胴回りギャザーが形成される。更に外装体２には、おむつ１０のレッグ開口部１２、１２となる括れた部分にレッグ弾性部材（図示せず）を複数、伸長させた状態で固定し配置している。これにより、レッグ開口部１２、１２にレッグギャザーが形成される。本実施形態においては、外装体２は、肌当接面側と非肌当接面側の２枚の不織布から構成されている（図示せず）。肌当接面側の不織布の非肌当接面側、または、非肌当接面側の不織布の肌当接面側または非肌当接面側に印刷を施すことで後述の有色の帯状図形５を形成する。この帯状図形５は、おむつ１０の外側から視認可能にされている。
【００１７】
おむつ１０において、外装体２には、有色の帯状図形５が複数、間隔をあけて配された縞状模様の図柄が外側から視認可能に配されている。ここで「帯状図形」とは、所定の帯幅と一方向に延びる長さとを有するものである。「帯状図形」は、一方向に延びる長さを有する限り、直線に限らず、曲線状のものであってもよく、部分的に蛇行するものであってもよい。
【００１８】
帯状図形５は、輪郭及びその内側が着色されている。帯状図形５の色は、外装体２の色とは異なる色であることが好ましく、対照的な色であることが特に好ましい。具体的には外装体２が白色を有している場合に、帯状図形５の色は、ＲＧＢカラーモデルにおいて、Ｒ：６０〜２３０、Ｇ：１０〜２００、Ｂ：１２０〜２５５の範囲にあることが好ましく、Ｒ：７０〜２１５、Ｇ：１５〜１７５、Ｂ：１３０〜２４５の範囲にあることがより好ましい（Ｒ＝赤、Ｇ＝緑、Ｂ＝青）。更にＲ：８０〜２００、Ｇ：２０〜１５０、Ｂ：１４０〜２３５の範囲にあることがより好ましい。例えば、外装体２が白色を基調としたものであるとき、帯状図形５は、おむつ１０の外側から視認してその形状を認識できる有彩色を有することが好ましい。特に、後述の効果をより奏しやすくする観点から、帯状図形５は寒色系の収縮色を有することが好ましく、紫色がより好ましい。以下、外装体２が白色を有し、帯状図形５が有彩色を有するものとして説明する。
【００１９】
おむつ１０は、前述のとおり、帯状図形５が複数、間隔をあけて配された縞状模様の図柄を有する。縞状模様は、帯状図形５の色と外装体２の色とが交互に配されて形成されている。この図柄では、おむつ１０を幅方向Ｘに最大に伸長させた状態で、縞状模様における帯状図形５による着色の密度が部分的に変化している。なお、実際のおむつの装着状態では、幅方向Ｘに最大に伸長させた状態になることは少ないが、最大に伸長させたのと同様の図柄（伸長方向にやや歪んでいるが、最大伸長時とほぼ同等形状の図柄）が視認できる。そのため、実際のおむつ１０の装着状態においても下記に示す効果が得られる。
【００２０】
本発明において、着色の密度とは、縞状模様の図柄において、所定領域に占める有色の帯状図形５の面積割合を言う。前記「所定領域」とは、下記の幅と長さの範囲の領域であって、おむつ１０の幅方向中央線Ｗ（幅方向Ｘの長さを２等分する身丈方向Ｙに沿う仮想線）を含み、該中央線Ｗに対して線対称の領域をいう。
幅（幅方向Ｘの長さ）：おむつ１０の展開状態（図２参照）における前側部１３において、幅方向Ｘの長さＸＬ（サイドシール部１５を含む長さ）の１０％以上１００％以下の長さの範囲
長さ（身丈方向Ｙの長さ）：おむつ１０の展開状態（図２参照）における前側部１３において、身丈方向Ｙの長さＹＬの１０％以上３５％以下の長さの範囲
【００２１】
本発明において、着色の密度が部分的に変化しているとは、前記所定領域に対して下記〔測定領域による測定〕を行った際に、下記測定領域の移動に伴って、下記測定領域に占める帯状図形５の面積割合が変化すること、又は、複数の帯状図形５が一点に集中するように配されている等、帯状領域の配置の密度が変化することを言う。また、着色の密度が高められるとは、下記〔測定領域による測定〕を行った際に、下記測定領域の移動に伴って、下記測定領域に占める帯状図形５の面積割合が大きくなっていくこと、又は、複数の帯状図形５が１点に集中するように配される等、帯状領域の配置の密度が高くなっていくことを言う。
〔測定領域による測定〕
前記所定領域と同じ幅方向Ｘの長さで身丈方向Ｙに所定の長さ（例えば、所定領域の身丈方向Ｙの長さの１/４）を有する測定領域を身丈方向Ｙに移動させ、又は、前記所定領域と同じ身丈方向Ｙの長さで幅方向Ｘに所定の長さ（例えば、所定領域の幅方向Ｘの長さの１/４）を有する測定領域を幅方向Ｘに移動させて、前記測定領域に占める帯状図形５の面積割合を測定する。
【００２２】
本発明において、上記のような縞状模様の図柄を見た者は、該図柄における前記着色の密度の部分的な変化によって、おむつ１０の形状に対する視覚的な誘導を受ける。特に、着色の密度の変化の中で、着色の密度が低い部分から高い部分への変化は、前記図柄を見た者の目線を誘導しやすい。着色の密度が低い部分から高い部分への変化は、おむつ１０の前側部１３の中で、着用者のお腹周りの膨らみに対応する部分に向かって示されていることが好ましい。着用者のお腹周りの膨らみは、一般的には幅方向の両脇から中央へ、また、身丈方向の上方側から下方側に向かって大きくなる形状である。装着したおむつ１０の前側部１３は、着用者のお腹周りの膨らみに対応して盛り上がることとなる。前側部１３において、盛り上がる部分に向かって着色の密度が高くなる変化が示されていると、着色の密度の高まりに合わせておむつ１０が絞られていくように見え、膨らんだ印象が抑えられる。前記図柄においては、少なくとも部分的に、隣りあう帯状図形５の間隔を徐々に狭めたり、帯状図形５の帯幅を徐々に広げたりするなどの様々な構図によって、帯状図形５による着色の密度を高めた部分が形成される。着色の密度は、前記図柄の構図の中で、徐々に又は段階的に変化していることが好ましい。
【００２３】
前記図柄において、帯状図形５による着色の密度を部分的に変化させる構図として、例えば、下記に示す実施態様が挙げられる。いずれの態様においても、図柄をおむつ１０の前側部１３に配し、おむつ１０を幅方向Ｘに最大に伸長させた状態として示している。ただし、いずれの態様においても、図柄は、前側部１３に限らず、例えばおむつ１０全体に配されていてもよい。また、各図柄を含むおむつ１０を正面から見た場合に限らず、斜めや側部（すなわち、おむつ１０の側部のサイドシール部１５側）から見た場合にも前述の視覚的効果を奏する。なお、前述のとおり、実際のおむつの装着状態では、幅方向に最大に伸長させる状態になることは少ないが、最大に伸長させたのと同様の図形（伸長方向にやや歪んでいるが、最大伸長時とほぼ同等形状の図柄）が視認できるため、実際のおむつの装着状態においても下記に示す効果が得られる。
【００２４】
図１は、第１実施態様の図柄５１を示している。図柄５１において、帯状図形５の帯幅は一定にされている。帯状図形５はその長さ方向を身丈方向Ｙに向け、幅方向Ｘに間隔をあけて配されている。図柄５１が配される、身丈方向Ｙの範囲Ｙ１及び幅方向Ｘの範囲Ｘ１の所定領域において、身丈方向Ｙに所定の長さを有する測定領域Ｓを身丈方向Ｙに移動させていくと次のような着色の密度の変化が見られる。すなわち、前記範囲Ｙ１の中間位置Ｙ１１０から上端位置Ｙ１２０に向かって、隣りあう帯状図形５の幅方向Ｘの間隔が広がっていき、帯状図形５の着色の密度は漸次低くなっていく。一方、前記範囲Ｙ１の中間位置Ｙ１１０から下端位置Ｙ１３０に向かって、隣りあう帯状図形５の幅方向Ｘの間隔は幅方向Ｘの中央（中央線Ｗ）に向かって狭まっていく。これにより、中間位置Ｙ１１０から下端位置Ｙ１３０に向かうにつれ、幅方向Ｘの中央付近の着色の密度が周囲よりも高められている。詳細には、帯状図形５のウエスト開口部１１側の端部５Ａが幅方向Ｘに扇状に広がり、身丈方向Ｙの股下部１０Ｃ側の端部５Ｂが幅方向Ｘの中央に密集する配置となっている。これにより、図柄５１は、着用者のお腹周りの幅方向の両脇から中央へ、また、身丈方向の上方側から下方側に向かって大きくなる膨らみに対応して、おむつ１０のウエスト開口部１１側から下方側の幅方向Ｘの中央付近に向かって着色の密度が部分的に高まる構図にされている。
おむつ１０の図柄５１を配した前側部１３を外側からみると、ウエスト開口部１１側では、外装体２の白色の中に帯状図形５の色が幅方向Ｘに離れて（散らばって）薄められた印象を受ける。そこから前述の着色の密度の変化に合わせて、下方側（股下部１０Ｃ側）に向かうにつれ、幅方向Ｘの中央付近に向けて収束するように、帯状図形５の色が濃くなっていくように見える。これにより、図柄５１を見た者は、前記着色の密度の変化に誘導されて、ウエスト開口部１１側から下方側の幅方向Ｘの中央付近に向かっておむつ１０が徐々に絞られていくかのような印象を受け、膨らんだ印象が抑えられる。この図柄５１の視覚的効果によって、おむつ１０は、着用者のお腹周り、特に下腹部の膨らみを視覚的に目立たないようにする効果を奏する。
【００２５】
図３は、第２実施態様の図柄５２を示している。図柄５２において、帯状図形５の帯幅は一定にされている。帯状図形５はその長さ方向を幅方向Ｘに向け、身丈方向Ｙに間隔をあけて配されている。図柄５２が配される、身丈方向Ｙの範囲Ｙ１及び幅方向Ｘの範囲Ｘ１の所定領域において、身丈方向Ｙに所定の長さを有する測定領域Ｓを身丈方向Ｙに移動させていくと次のような着色の密度の変化が見られる。すなわち、前記範囲Ｙ１の中間位置Ｙ１１０から上端位置Ｙ１２０に向かって、隣りあう帯状図形５の身丈方向Ｙの間隔は漸次広がっていき、帯状図形５の着色の密度は漸次低くなっていく。一方、前記範囲Ｙ１の中間位置Ｙ１１０から下端位置Ｙ１３０に向かって、隣りあう帯状図形５の身丈方向Ｙの間隔は狭まっていき、帯状図形５の着色の密度は漸次高くなっていく。これにより、図柄５２は、幅方向Ｘの全体に亘って、着用者のお腹周りの身丈方向の上方側から下方側に向かって大きくなる膨らみに対応して、おむつ１０のウエスト開口部１１から下方側に向かって、帯状図形５による着色の密度が部分的に高まる構図にされている。
おむつ１０の図柄５２を配した前側部１３を外側からみると、ウエスト開口部１１側では、外装体２の白色の中に、幅方向Ｘに広がる帯状図形５の色が身丈方向Ｙに離れて（散らばって）薄められた印象を受ける。そこから前述の着色の密度の変化に合わせて、股下部１０Ｃ側に向かうにつれ、帯状図形５の幅方向Ｘ全体の色が濃くなっていくように見える。これにより、図柄５２を見た者は、前記着色の密度の変化に誘導されて、ウエスト開口部１１側から下方側に向かっておむつ１０が徐々に絞られていくかのような印象を受け、膨らんだ印象が抑えられる。この図柄５２の視覚的効果によって、おむつ１０は、着用者のお腹周り、特に下腹部の膨らみを視覚的に目立たないようにする効果を奏する。
【００２６】
なお、図１に示す第１実施態様の図柄５１及び図３に示す第２実施態様の図柄５２においては、帯状図形５の帯幅はそれぞれ同じにして示したが、これに限らず上記の視覚的効果を奏する限り、帯状図形５ごとに帯幅を異なるものとしてもよい。
【００２７】
図４及び図５はそれぞれ、第３実施態様の図柄５３、第４実施態様の図柄５４を示している。第３実施態様の図柄５３は、第１実施態様の図柄５１における帯状図形５の帯幅を、ウエスト開口部１１側の端部５Ａよりも下方側（股下部１０Ｃ側）の端部５Ｂにて広くしたものである。第４実施態様の図柄５４は、第２実施態様の図柄５２における帯状図形５の間隔を均等にし、かつ、帯状図形５の帯幅をウエスト開口部１１側よりも下方側（股下部１０Ｃ側）のものほど広くしたものである。これにより、図柄５３及び図柄５４においては、ウエスト開口部１１から下方側に向かって、帯状図形５による着色の密度がより高まる構図にされている。
第３実施態様の図柄５３、第４実施態様の図柄５４はいずれも、ウエスト開口部１１側から下方側（股下部１０Ｃ側）に向かうにつれ、前述の帯状図形５の色が濃くなっていくように見える視覚的効果がより強くなる。これにより、おむつ１０は、着用者のお腹周り、特に下腹部の膨らみを視覚的に目立たないようにする効果をより強く奏することとなる。
【００２８】
図６は、第５実施態様の図柄５５を示している。図柄５５において、帯状図形５は、その長さ方向を身丈方向Ｙに向け、幅方向Ｘに間隔をあけて配されている。各帯状図形５は、身丈方向Ｙの途中で、おむつ１０の幅方向Ｘの中央側（中央線Ｗ側）へ凸状に湾曲する形状を有する。図柄５５が配される、身丈方向Ｙの範囲Ｙ１及び幅方向Ｘの範囲Ｘ１の所定領域において、身丈方向Ｙに所定の長さを有する測定領域Ｓを身丈方向Ｙに移動させていくと次のような着色の密度の変化が見られる。すなわち、前記範囲Ｙ１の中間位置Ｙ１１０において、帯状図形５は幅方向Ｘの中央（中央線Ｗ）側に集められ、帯状図形５の着色の密度は幅方向Ｘの中央付近で高められている。一方、前記範囲Ｙ１の中間位置Ｙ１００から上端位置Ｙ１２０及び下端位置Ｙ１３０に向かって、帯状図形５が幅方向Ｘの左右外方へと湾曲し、間隔が広がっていき、帯状図形５の着色の密度は漸次低くなっていく。言い換えると、上端位置Ｙ１２０及び下端位置Ｙ１３０から身丈方向Ｙの中間位置Ｙ１１０に向かうにつれ、幅方向Ｘの中央付近の着色の密度が周囲よりも高められている。これにより、図柄５５は、着用者のお腹周りの幅方向の両脇から中央に向かって大きくなる膨らみに対応して、おむつ１０の前側部１３の上端位置及び下端位置の左右外方から幅方向Ｘの中央に向けて、帯状図形５による着色に密度が部分的に高まるよう変化する構図にされている。
おむつ１０の図柄５５を配した前側部１３を外側から見ると、ウエスト開口部１１側及び股下部１０Ｃ側では帯状図形５の色が幅方向Ｘに離れて薄くされた印象を受ける。そこから、身丈方向Ｙの途中の凸状の湾曲にされた部分に沿って、幅方向Ｘの左右外方から幅方向Ｘの中央側に向けて、帯状図形５の色が濃くなっていくように見える。これにより、図柄５５を見た者は、前記着色の密度の変化に誘導されて、凸状の湾曲に沿って、おむつ１０が絞られていくかのような印象を受け、膨らんだ印象が抑えられる。この図柄５５の視覚的効果によって、おむつ１０は、着用者のお腹周りの膨らみを視覚的に目立たないようにする効果を奏する。
【００２９】
図７は、第６実施態様の図柄５６を示している。図柄５６において、帯状図形５は、その長さ方向を幅方向Ｘに向け、身丈方向Ｙに間隔をあけて配されている。この帯状図形５は、幅方向Ｘの中央線Ｗに沿って、おむつ１０のウエスト開口部１１側から身丈方向Ｙの下方側へ凸状に湾曲する形状を有する。加えて、身丈方向Ｙの下方側に行くほど湾曲の程度が小さくされている。図柄５６が配される、身丈方向Ｙの範囲Ｙ１及び幅方向Ｘの範囲Ｘ１の所定領域において、幅方向Ｘに所定の長さを有する測定領域Ｓを幅方向Ｘに移動させていくと次のような着色の密度の変化が見られる。すなわち、前記範囲Ｘ１の中間位置Ｘ１１０において、帯状図形５は身丈方向Ｙの下方側に集められ、帯状図形５の着色の密度は身丈方向Ｙの下方側で高められている。一方、前記範囲Ｘ１の中間位置Ｘ１００から左端位置Ｘ１２０及び右端位置Ｘ１３０に向かうにつれ、帯状図形５は身丈方向Ｘの上方側外方へと湾曲し、間隔が広がっていき、帯状図形５の着色の密度は漸次低くなっていく。言い換えると、左端位置Ｘ１２０及び右端位置Ｘ１３０から中間位置Ｘ１１０に向かうにつれ、下方側の着色の密度が周囲よりも高められている。これにより、図柄５６は、着用者のお腹周りの幅方向の両脇から中央へ、また、身丈方向の上方側から下方側に向かって大きくなる膨らみに対応して、おむつ１０の前側部１３の幅方向Ｘの左右外方から幅方向Ｘの中央線Ｗの身丈方向Ｙの下方側の１点に向けて、帯状図形５による着色に密度が部分的に高まるよう変化する構図にされている。
おむつ１０の図柄５６を配した前側部１３を外側からみると、幅方向Ｘの左右外方では、帯状図形５の色が身丈方向Ｙに離れて薄くされた印象を受ける。そこから、凸状の湾曲にされた部分に沿ってウエスト開口部１１側から身丈方向Ｙの下方側に向けて、帯状図形５の色が濃くなっていくように見える。これにより、図柄５６を見た者は、前記着色の密度の変化に誘導されて、凸状の湾曲に沿って、おむつ１０が絞られていくかのような印象を受け、膨らんだ印象が抑えられる。この図柄５６の視覚的効果によって、おむつ１０は、着用者のお腹周り、特に下腹部の膨らみを視覚的に目立たないようにする効果を奏する。
【００３０】
なお、図６に示す第５実施態様の図柄５５及び図７に示す第６実施形態の図柄５６において、間隔を均等にして示したが、これに限らず不均等であってもよい。例えば、凸状の湾曲された部分の間隔が徐々に狭まるようにしてもよい。また、帯状図形５それぞれの帯幅、帯状図形５相互の帯幅を均等にする場合に限らず、不均等にしてもよい。
【００３１】
図柄５１〜５６は、上記の視覚的効果をより高める観点から、下記の範囲に配置されることが好ましい。
すなわち、図柄５１〜５６は、幅方向Ｘの中央線Ｗから左右に広がる範囲Ｘ１として、おむつ１０の前側部１３全体の幅長さＸＬ（サイドシール部１５を含む長さ）の１０％以上の長さの範囲にあることが好ましく、３０％以上の長さの範囲にあることがより好ましく、また、１００％以下の長さの範囲にあることが好ましく、８０％以下の長さの範囲にあることがより好ましい。具体的には、図柄５１〜７５は、幅方向Ｘの中央線Ｗから左右に広がる範囲Ｘ１として、おむつ１０の前側部１３全体の幅長さＸＬ（サイドシール部１５を含む長さ）の１０％以上１００％以下の長さの範囲にあることが好ましく、３０％以上８０％以下の長さの範囲にあることがより好ましい。
また、図柄５１〜５６は、おむつ１０の前側部１３における範囲Ｙ１として、おむつ１０の展開状態における身丈方向Ｙの長さＹＬ（図２参照）の１０％以上の長さの範囲にあることが好ましく、１５％以上の長さの範囲にあることがより好ましく、また、３５％以下の長さの範囲にあることが好ましく、２５％以下の長さの範囲にあることがより好ましい。具体的には、図柄５１〜５６は、おむつ１０の前側部１３における範囲Ｙ１として、おむつ１０の展開状態のおける身丈方向Ｙの長さＹＬ（図２参照）の１０％以上３５％以下の長さの範囲にあることが好ましく、１５％以上２５％以下の長さの範囲にあることがより好ましい。
加えて、図柄５１〜５６は、おむつ１０のウエスト開口部１１側の端縁１１Ａからの離間距離Ｒ１を０ｍｍ以上とすることが好ましく、１５ｍｍ以上とすることがより好ましく、また、４０ｍｍ以下とすることが好ましく、３５ｍｍ以下とすることがより好ましい。具体的には、図柄５１〜５６は、おむつ１０のウエスト開口部１１側の端縁１１Ａから離間距離Ｒ１を０ｍｍ以上４０ｍｍ以下とすることが好ましく、１５ｍｍ以上３５ｍｍ以下とすることがより好ましい。
【００３２】
さらに、図柄５１〜５６それぞれにおいて、帯状図形５の本数は、前述の視覚的効果の観点から、３本以上が好ましく、５本以上がより好ましく、また、１５本以下が好ましく、１０本以下がより好ましい。具体的には、帯状図形５の本数は、３本以上１５本以下が好ましく、５本以上１０本以下がより好ましい。
各帯状図形５の帯幅（太さ）は、前述の視覚的効果の観点から、５ｍｍ以上が好ましく、８ｍｍ以上がより好ましく、また、２０ｍｍ以下が好ましく、１５ｍｍ以下がより好ましい。具体的には、各帯状図形５の帯幅（太さ）は、５ｍｍ以上２０ｍｍ以下が好ましく、８ｍｍ以上１５ｍｍ以下がより好ましい。
【００３３】
加えて、図柄５１（図１）及び図柄５３（図４）において、各帯状図形５の身丈方向Ｙ（幅方向Ｘの中央線Ｗ）に対する傾斜角度は、前述の視覚的効果の観点から、−８０°以上８０°以下の範囲にあることが好ましく、−５０°以上５０°以下の範囲にあることがより好ましい。更に−３５°以上３５°以下の範囲にあることがより好ましい。
【００３４】
本発明のパンツ型着用物品は、上記のパンツ型おむつ１０の実施形態に限定されるのではなく、種々のパンツ型の物品に適用される。例えば、外装体２は、図２に示す形態に限定されず、腹側部１０Ｆと背側部１０Ｒに分離されているものであってもよい。また、本発明のパンツ型着用物品は、上記のパンツ型おむつ１０のように吸収性本体を備えたものに限らず、吸収性本体がないおむつカバーであってもよい。さらに、生理用ショーツなどパンツ型の構造を有する着用物品を広く含む。
【符号の説明】
【００３５】
１  吸収性本体
２  外装体
５  帯状図形
１０  パンツ型おむつ
１１  ウエスト開口部
１２  レッグ開口部
１３  前側部
１４  後側部
１５  サイドシール部
５１、５２、５３、５４、５５、５６  図柄
Ｘ  幅方向
Ｙ  身丈方向
【図１】
2020103717.tif 000003
【図２】
2020103717.tif 000004
【図３】
2020103717.tif 000005
【図４】
2020103717.tif 000006
【図５】
2020103717.tif 000007
【図６】
2020103717.tif 000008
【図７】
2020103717.tif 000009